(57)【特許請求の範囲】
【請求項１】
内部に発熱線が埋設された第１のコンクリート層と、コンクリートと一体化された断熱層とが形成されたコンクリート平板であって、
前記断熱層は、前記第１コンクリート層の上に流し込まれた第２のコンクリート層に埋め込まれた多数の断熱球体から構成され、
該断熱球体は、流し込まれたコンクリートとの比重差によって、第２のコンクリート層の表面側に集まっていることを特徴とするコンクリート平板。
【請求項２】
発熱線として同軸構造のケーブルを使用することを特徴とする請求項１記載のコンクリート平板。
【請求項３】
発熱線にはリード線接続部が接続されており、該リード線接続部はコンクリート面から突出しない状態でコンクリート内に配置されていることを特徴とする請求項１または請求項２のいずれかに記載のコンクリート平板。
【請求項４】
前記発熱線と断熱球体との間に、断熱球体が通り抜けることのない網目を有した金網が設けられたことを特徴とする請求項１〜３のいずれかに記載のコンクリート平板。
【発明の詳細な説明】
【０００１】
【発明の属する技術分野】
本発明は、発熱線を埋設したコンクリート平板に関するものである。なお、本発明においてコンクリート平板とは、コンクリートで作られた平板状のブロック体の全てをいう。例えば駅のホームで使用されているホーム先端タイル、知覚障害者用の誘導タイル、道路に敷き詰めて使用するコンクリートブロック等がある。
【０００２】
【従来の技術】
例えば、駅のプラットホームの先端側にはコンクリート平板（ホーム先端タイルと呼ばれている）が取り付けられている。
このような駅のプラットホームの先端側のコンクリート平板上には冬季に積雪が生じ易く、またコンクリート平板上は冬季に凍結し易いという問題がある。
【０００３】
駅のプラットホームの先端側のコンクリート平板上の積雪や凍結を防止するためには、コンクリート平板の下に発熱線を埋め込むことが考えられる。
すなわち図１１に示すように、床盤コンクリートパネル１の上に発熱線２を配置し、その上に砂、空練りモルタル又はモルタル３等を被せ、その上にコンクリート平板４を配置する構成である。なお図１１において、符号１１はコンクリート平板４の表面に設けられた滑り止めゴム、６は知覚障害者用の誘導タイルであり、この誘導タイルの下面にも発熱線２が配置してある。また符号７は床盤コンクリートパネル１上に設けられたアスファルト舗装またはタイル舗装である。
【０００４】
【発明が解決しようとする課題】
しかしながら上記のように、コンクリート平板の下に発熱線を埋め込む構成であると、現場で発熱線を敷設しなければならないのでその敷設作業が面倒であるという問題がある。また、発熱線からの熱流は床盤コンクリートパネル１側にも多く流れるので、コンクリート平板側が温まり難く、特に通電開始後の温度立ち上がりが遅くなるという問題がある。
【０００５】
【課題を解決するための手段】
本発明は上記の如き課題を解決したコンクリート平板を提供するものであり、その構成は、内部に発熱線が埋設されており、かつ裏面側にコンクリートと一体化された断熱層が形成されていることを特徴とするものである。
【０００６】
このように、発熱線を埋設すると共に裏面側にコンクリートと一体化された断熱層を形成することにより、現場での発熱線の敷設作業を省略することができると共に発熱線からの発熱を効率良くコンクリート平板の表面側に流すことができる。
【０００７】
発熱線として２層の導体が同軸状に形成された同軸構造のケーブルを使用することが好ましい。このような同軸構造のケーブルを使用すると、内側の導体と外側の導体とに、行きの電流と帰りの電流を互いに逆方向に流すことができ、その結果、各々の電流で発生する磁界の向きが逆になり、両磁界が互いに打ち消しあって外部への磁界の漏れが殆ど無くなるという効果がある。
【０００８】
また発熱線にはリード線接続部を接続し、該リード線接続部はコンクリート面から突出しない状態でコンクリート内に配置しておくことが好ましい。このように構成しておくと、コンクリート平板の運搬時にリード線接続部の損傷が防止できるので好ましい。
【０００９】
また断熱層は、多数の球状の断熱球体で構成しておくことが好ましい。このように構成しておくと、断熱層形成作業が容易に行える等の効果がある。
【００１０】
【発明の実施の形態】
以下本発明の実施の形態を図を参照して説明する。
図１は本発明に係るコンクリート平板１０の一実施の形態を示す斜視図であり、ホーム先端タイルに本発明を適用した場合である。
このコンクリート平板１０は、表面に滑り止めゴム１１が取り付けられており、また内部には図２に示すような発熱線２０が配置されている。発熱線２０はコンクリートの補強鉄筋として使用されている溶接金網１３に蛇行させた状態で固定してある。また発熱線２０としては、図３に示すように同軸構造のケーブルが使用される。この発熱線２０は、内側導体２１の外周に内側絶縁層２２、外側導体２３、外側絶縁層２４及びシース２５を順次形成した構造である。この発熱線の先端部は図２の符号２６で示すように、内側導体２１と外側導体２３が接続された状態となっている。このように内側導体２１と外側導体２３を接続しておくと、内側導体２１と外側導体２３とに、行きの電流と帰りの電流を互いに逆方向に流すことができ、その結果、各々の電流で発生する磁界の向きが逆になり、両磁界が互いに打ち消しあって外部への磁界の漏れが殆ど無くなるという効果がある。したがってホーム先端タイル等に使用した場合においても、軌道に設置されている障害物検知システムや車両に搭載されている電子機器に悪影響を及ぼすことがない。なお、発熱線２０は、内側導体２１または外側導体２３のいずれか一方または両方共に発熱するようにするものである。
【００１１】
また発熱線２０の他端側には、リード線接続部３０が接続されており、該リード線接続部３０にはリード線４０が接続されている。このリード線４０も前記発熱線２０と同様に同軸構造のケーブルを使用することが好ましい。リード線４０として同軸構造のケーブルを使用すると、発熱線２０と同様に外部への磁界の漏れを防止できるという効果がある。
【００１２】
上記の溶接金網１３、発熱線２０、発熱線２０の内側導体２１と外側導体２３の接続部２６、リード線接続部３０及びリード線４０の一部はコンクリート内に埋設されているものである。
【００１３】
なお、発熱線２０は、発熱線２０からコンクリート平板の表面までの厚さが、発熱線２０からコンクリート平板の裏面までの厚さより薄くなる位置にすなわち、コンクリート平板の表面側に位置するように配置しておくことが好ましい。このように発熱線２０をコンクリート平板の表面側に位置するように配置しておくと、コンクリート平板の表面を効率良く加熱できるものである。
【００１４】
またコンクリート平板１０の裏面側には、コンクリートと一体化された断熱層５０が形成されている（図１参照）。断熱層５０としては、例えば、図４に示すような多数の球状の断熱球体５１が使用される。すなわち図４（イ）に示すように球状の樹脂又は発泡体で作った断熱球体５１や、図４（ロ）に示すように内部に空気層を有した樹脂又は発泡体の断熱球体５１が使用される。
【００１５】
上記のような断熱球体５１を使用して断熱層５０を形成する作業は次のように行う。
図５に示すように、先ず成形型６０を用意する。次に成形型６０の内面に所定間隔を開けて滑り止めゴム１１を配置する。次に成形型６０の厚さのほぼ中間に溶接金網１３に蛇行させて固定した発熱線２０を配置する。なお、発熱線２０にはリード線４０が接続されている。この状態で成形型６０内にコンクリートを流し込む。コンクリートは、発熱線２０が被る程度まで流し込む。次に流し込んだコンクリートの表面に多数の断熱球体５１を積層する。次に多数の断熱球体５１上に更にコンクリートを流し込んで所定の厚さに形成する。この時成形型６０に適当な振動を与える。すると断熱球体５１は比重が軽いためコンクリートの表面側に集まり断熱層５０を形成する。なお、断熱球体５１上に更にコンクリートを流し込む際に断熱球体５１が発熱線２０より下側に移動しないように、断熱球体５１が通り抜けることのない網目を有した金網を発熱線２０上に設け、該金網上に断熱球体５１を積層するようにしてもよい。
【００１６】
上記のように形成したコンクリート平板は、滑り止めゴム１１側を上側に、断熱層５０側を下側にして使用するものである。
【００１７】
上記構成からなるコンクリート平板１０は、図６に示すように床盤コンクリートパネル１上に取り付けて使用する。図６においては、知覚障害者用の誘導タイル６にも本発明を適用した例が示してある。なお図６において符号３は砂、空練りモルタル又はモルタル、１１は滑り止めゴム、２０は発熱線、５０は断熱層、７はアスファルト舗装又はタイル舗装である。
【００１８】
本発明においては、床盤コンクリートパネル１上に、コンクリート平板１０を設置するだけで発熱線２０の敷設も行うことができるものである。また断熱層５０が存在することからコンクリート平板１０の表面を効率良く加熱することができるものである。
【００１９】
図７及び図８は本発明の他の実施形態を示すものである。このコンクリート平板１０は、発熱線２０の他端側に接続したリード線接続部３０に予めリード線を接続しない状態を示したものである。すなわち前記実施形態においては、リード線接続部３０に予めリード線４０を接続し、これをコンクリート内に埋設したものを示したが、この実施形態においては、リード線接続部３０に着脱自在にリード線４０が取り付けられる様に構成したものである。図７に示すよに、リード線接続部３０は、蛇行した発熱線２０の間に設けられており、図８に示すように、裏面側においてリード線引き込み口３１が開口した状態でコンクリート内に埋め込まれているものである。リード線引き込み口３１の開口面はコンクリートの裏面と同一平面になるように埋め込まれている。
【００２０】
このように、リード線接続部３０に着脱自在にリード線４０を取り付ける様に構成しておくと、コンクリート平板１０の運搬時にリード線が損傷しない等の効果がある。また、リード線接続部３０をコンクリート面から突出しない状態でコンクリート内に配置しておくと、コンクリート平板の運搬や敷設等の際にリード線接続部３０が損傷したり邪魔になることがない。
【００２１】
またリード線接続部３０のリード線引き込み口３１をコンクリート平板の裏面に位置させておくと、リード線４０の引き込みを簡単に行うことができる。すなわち図９に示すように、床盤コンクリートパネル１にリード線収納溝４２を設けることができるので、リード線引き込み口３１にリード線４０を簡単に接続することができるものである。なお図９においては、知覚障害者用の誘導タイル６にも本発明を適用した例が示してある。図９において、符号３は砂、空練りモルタル又はモルタル、１１は滑り止めゴム、２０は発熱線、５０は断熱層、７はアスファルト舗装又はタイル舗装である。
【００２２】
図１０は、床盤コンクリートパネル１として穴あきＰＣ板を使用した場合であり、この場合は図９に示すように床盤コンクリートパネル１に直接リード線収納溝を設けることが出来ないので、穴あきＰＣ板を使用した床盤コンクリートパネル１の上面に設けた砂、空練りモルタル又はモルタル３の層にリード線収納溝４２を形成し、該リード線収納溝４２にリード線４０を収納したものである。なお図１０において図９と同一部分には同一符号を付して説明を省略する。
【００２３】
なお、本発明で使用する発熱線である同軸ケーブルの構造は実施例のものに限定されるものではなく、また発熱線は同軸ケーブルでなく単線ケーブルであってもよい。また本発明で使用する断熱層は、多数の球状の断熱球体で構成したものに限定されるものではない。さらに本発明は各種のコンクリート平板に適用できるものである。
【００２４】
【発明の効果】
以上のように本発明に係るコンクリート平板は、内部に発熱線が埋設されており、かつ裏面側にコンクリートと一体化された断熱層が形成されていることを特徴とするものである。したがって本発明によれば、現場での発熱線の敷設作業を省略することができると共に発熱線からの発熱を効率良くコンクリート平板の表面側に流すことができる。
【００２５】
また発熱線として２層の導体が同軸状に形成された同軸構造のケーブルを使用すると、内側の導体と外側の導体とに、行きの電流と帰りの電流を互いに逆方向に流すことができ、その結果、各々の電流で発生する磁界の向きが逆になり、両磁界が互いに打ち消しあって外部への磁界の漏れが殆ど無くなるという効果がある。
【００２６】
また発熱線にはリード線接続部を接続し、該リード線接続部はコンクリート面から突出しない状態でコンクリート内に配置しておくと、コンクリート平板の運搬時にリード線接続部が損傷しない等の効果がある。
【００２７】
また断熱層を、多数の球状の断熱球体で構成しておくと、断熱層形成作業が容易に行える等の効果がある。
【図面の簡単な説明】
【図１】本発明に係るコンクリート平板の斜視図。
【図２】本発明で使用する発熱線の説明図。
【図３】本発明で使用する発熱線の側面図。
【図４】本発明で使用する断熱球体の説明図。
【図５】本発明の製造状態の説明図。
【図６】本発明のコンクリート平板を敷設した状態の説明図。
【図７】本発明の他の実施形態の説明図。
【図８】図７の発熱線を組み込んだコンクリート平板の裏面側斜視図。
【図９】図８のコンクリート平板を敷設した状態の説明図。
【図１０】コンクリート平板を敷設した状態の他の例を示す説明図。
【図１１】従来の発熱線の敷設状態の説明図。
【符号の説明】
１０            コンクリート平板
２０            発熱線
３０            リード線接続部
４０            リード線
５０            断熱層
【図１】
0004111616.tif 000002
【図２】
0004111616.tif 000003
【図３】
0004111616.tif 000004
【図４】
0004111616.tif 000005
【図５】
0004111616.tif 000006
【図６】
0004111616.tif 000007
【図７】
0004111616.tif 000008
【図８】
0004111616.tif 000009
【図９】
0004111616.tif 000010
【図１０】
0004111616.tif 000011
【図１１】
0004111616.tif 000012